(57)【特許請求の範囲】
【請求項１】
板状に形成され、互いに内面を対向して重ね合わされた第1および第２のプレートと、上記第１または第２のプレートの少なくとも一方に形成された複数の開口部と、上記第１または第２のプレートの少なくとも一方の外面の外周縁部に突起状に形成された第１の支持部と、上記第１または第２のプレートの少なくとも一方の外面の外周縁部に囲われた中央領域に突起状に形成された第２の支持部とを備え、
上記開口部の外周縁部上に配置される収納部品を上記第１および第２のプレートの内面間で挟持するトレイであって、
上記第１および第２のプレートの外面を互いに対向させて、複数の上記トレイを重ね合わせたとき、上記第1および第２の支持部は、上記収納部品が上記第１および第２のプレートの内面の間で挟持された状態に維持されるように、上記第1および第２のプレートの外周縁部および中央領域を支持することを特徴とするトレイ。
【請求項２】
上記第１および第２のプレートの外面を互いに対向させて、上記トレイを重ね合わせたとき、上記第１および第２の支持部は、上記第１または第２のプレートの外面に当接されることを特徴とする請求項１に記載のトレイ。
【請求項３】
上記第１および第２の支持部は、第１または第２のプレートから延出されて一体に形成されたことを特徴とする請求項１に記載のトレイ。
【請求項４】
上記第２の支持部は、複数個形成されたことを特徴とする請求項１に記載のトレイ。
【請求項５】
上記複数の開口部は、格子状または千鳥格子状に配列されて形成されたことを特徴とする請求項１に記載のトレイ。
【請求項６】
上記第１および第２のプレートの重ね合わせ位置を規制するための位置決め部が、上記第１および第２のプレートに形成されたことを特徴とする請求項１に記載のトレイ。
【請求項７】
上記第１および第２の外面に、上記第１および第２のプレートの外面を互いに対向させて、複数の上記トレイを重ね合わせたときの上記トレイの移動を規制するためのずれ防止部が形成されたことを特徴とする請求項１に記載のトレイ。
【請求項８】
上記収納部品は光学部品であることを特徴とする請求項１に記載のトレイ。
【発明の詳細な説明】
【技術分野】
【０００１】
本発明は、例えば、レンズなどの光学部品を収納するトレイに関し、重ね合わせて使用されるものに関する。
【背景技術】
【０００２】
近年、デジタルカメラや光ディスク装置などの光学装置の高精度化、コンパクト化に伴い、光学装置に用いるレンズの肉厚、外観形状も著しく小さくなってきている。
このため、レンズの表面に対して、ＡＲコーティング（Anti-Reflective coating）などの処理膜を形成する場合、作業性などを考慮して、複数のレンズをトレイに収納して、全てのレンズに一括して表面処理を施す技術が提案されている。
【０００３】
このようなトレイの一例として、例えば、板状に形成された第１または第２のプレートのいずれか一方に設けられた数十個のレンズ保持部の各々に開口部（透孔）を形成し、第１および第２のプレートの間でレンズを挟持する技術が提案されている（特許文献１）。このトレイを用いることにより、複数のレンズをトレイに収納したまま、複数のレンズに一括して表面処理を施すことが可能となる。
【０００４】
ところで、特許文献１に記載のトレイは、レンズに対して表面処理を施すためだけでなく、複数のレンズを一括して搬送・保管するためにも用いられる。
複数のレンズをトレイに収納した状態で搬送する場合、複数のレンズが収納されたトレイが、床上に落下したり、壁などに接触したりして、第１および第２のプレートが中央部で変形して膨んで開いてしまい、レンズがレンズ保持部からはみ出してしまい、レンズに傷がついてしまう場合があった。多数の開口部を狭ピッチで密集させて形成した場合は、第１のプレートや第２のプレートの中央部の剛性が低下してしまうため、特にこのような問題が顕著になっていた。
【０００５】
このため、特許文献１に記載されているトレイには、第１および第２のプレートの間にレンズがしっかり挟持されるように、第１および第２のプレートを重ね合わせて連結する連結ピンが、第１プレートおよび第２プレートの中央部や外周縁部に取り付けられている。
【特許文献１】特開２００４−３１５０１４号公報（特に、段落００２２、００２５、００３５、００５６、００５７、図１４〜図１６）
【発明の開示】
【発明が解決しようとする課題】
【０００６】
しかしながら、特許文献１に記載されているトレイでは、連結ピンを新たに追加する必要があり、連結ピンを第１および第２のプレートに取り付ける作業を追加する必要が生じるという問題があった。
本発明は、このような問題点を解決するためになされたもので、簡単な構成で、収納部品を確実に保持できるトレイを提供することを目的とする。
【課題を解決するための手段】
【０００７】
本発明に係るトレイは、板状に形成され、互いに内面を対向して重ね合わされた第1および第２のプレートと、第１または第２のプレートの少なくとも一方に形成された複数の開口部と、第１または第２のプレートの少なくとも一方の外面の外周縁部に突起状に形成された第１の支持部と、第１または第２のプレートの少なくとも一方の外面の外周縁部に囲われた中央領域に突起状に形成された第２の支持部とを備え、開口部の外周縁部上に配置される収納部品を第１および第２のプレートの内面間で挟持するトレイであって、第１および第２のプレートの外面を互いに対向させて、複数のトレイを重ね合わせたとき、第１および第２の支持部は、収納部品が第１および第２のプレートの内面の間で挟持された状態に維持されるように、第１および第２のプレートの外周縁部および中央領域を支持することを特徴とするものである。このような構成にしたことにより、簡単な構成で、収納部品を確実に保持できる
【０００８】
ここで、第１および第２のプレートの外面を互いに対向させて、トレイを重ね合わせたとき、第１および第２の支持部は、第１または第２のプレートの外面に当接されている。また、第１および第２の支持部は、第１または第２のプレートから延出されて一体に形成されている。また、第２の支持部は、複数個形成されてもよい。複数の開口部は、格子状または千鳥格子状に配列されて形成されている。また、第１および第２のプレートの重ね合わせ位置を規制するための位置決め部が、第１および第２のプレートに形成されてもよい。また、第１および第２の外面に、第１および第２のプレートの外面を互いに対向させて、複数のトレイを重ね合わせたときのトレイの移動を規制するためのずれ防止部が形成されてもよい。収納部品は例えば光学部品である。
【発明の効果】
【０００９】
本発明によれば、簡単な構成で、収納部品を確実に保持できる。
【発明を実施するための最良の形態】
【００１０】
本発明の実施の形態に係るトレイについて、図に基づいて説明する。図１は、本発明の実施の形態に係るトレイの構成を示す図であって、図１（ａ）は平面図、図１（ｂ）は側面図、図１（ｃ）は背面図、図１（ｄ）は図１（ａ）のＸ−Ｘ切断線における断面図である。図２は、本発明の実施の形態に係るトレイの開口部の中心断面を拡大して示す図である。なお、図２では、収納部品としてのレンズ２００もあわせて示している。図３は、本発明の実施の形態に係るトレイを重ね合わせたときの断面図であって、各トレイの断面図は図１（ａ）のＸ−Ｘ切断線に対応する部分を示す図である。図４は、本発明の実施の形態に係るトレイの上プレートの構成を示す図であって、図４（ａ）は平面図、図４（ｂ）は側面図、図４（ｃ）は背面図である。図５は、本発明の実施の形態に係るトレイの下プレートの構成を示す図であって、図５（ａ）は平面図、図５（ｂ）は側面図、図５（ｃ）は背面図である。
【００１１】
以下の本発明の実施の形態に係るトレイの構成の説明について、まず、トレイ１００の構成の概略説明をした後に、トレイ１００を構成する第１のプレート１０および第２のプレート２０の構成を主に図３および図４に従って説明し、最後に第１および第２のプレート１０、２０を重ね合わせたトレイ１００の構成を主に図１、図２および図３に従って説明する。
図１に示されるように、本発明の実施の形態に係るトレイ１００は、互いに内面を対向して重ね合わせられた第１のプレート１０および第２のプレート２０から構成されている。
【００１２】
また、図２に示されるように、複数の収納部品としてのレンズ２００が、第１のプレート１０および第２のプレート２０の内面の間で挟持されている。図２に示されるように、レンズ２００は、曲面により形成されたレンズ部２００ａとレンズ部２００ａの外周部に設けられたフランジ部２００ｂを有している。レンズ２００の材料には、ポリオレフィン系、ノルボルネン系、アクリル系、ポリカーボネートなどの合成樹脂が用いられている。なお、図１に示されるトレイ１００には、１１０個のレンズ２００を収納することができる。第１および第２のプレート１０、２０の材料には、例えば、ポリカーボネート、ポリオレフィンなどの耐摩耗性に優れた合成樹脂やアルミニウムなどの金属が用いられる。
【００１３】
なお、第１および第２のプレート１０、２０の材料をレンズ２００の材料と同一とするか、同系統にして熱膨張係数を略同一にするとよい。このようにすることにより、例えば、トレイ１００内に収納した状態で、レンズ２００に対して蒸着をした場合に、第１および第２のプレート１０、２０がレンズ２００と同じように熱膨張するので、レンズ２００に無理な応力が加わらないようにすることができる。
【００１４】
次に、本発明の実施の形態に係るトレイ１００の上プレート１０の具体的な構成について、図に基づいて説明する。
図４（ａ）〜図４（ｃ）に示されるように、第１のプレート１０は、正方形型に平板状に形成されている。第１のプレート１０の外周縁部を囲う中央領域には、一部を除いて縦方向および横方向に千鳥格子状に整列して多数の開口孔１１が形成されている。図４（ａ）および図４（ｃ）に示されるように、本実施の形態においては、合計１１０個の開口孔１１が形成されている。各開口孔１１の外周面１１ａは、図２に示されるように、第１のプレート１０の外面から内面に向けて徐々に内径が小さくなって、すり鉢状に形成されている。
【００１５】
なお、本実施の形態では、第１のプレート１０の外形を正方形としたが、長方形や多角形や円形や楕円形などとしてもよい。また、本実施の形態では、開口孔１１は千鳥格子状に配列されたものとしたが、開口孔１１が格子状（マトリックス状）に配列されてもよい。
図４（ａ）に示されるように、ピン状の第１の支持部１２ａ〜１２ｄが、第１のプレート１０の外面の四隅に形成されている。なお、本実施の形態では、４個のピン状の第１の支持部１２ａ〜１２ｄを、第１のプレート１０の外面の四隅に形成するものとしたが、少なくとも３ヶ所以上のピン状の第１の支持部を第１のプレート１０の外面の外周縁部に形成してもよい。また、本実施の形態では複数のピン状の第１の支持部１２ａ〜１２ｄを設けたが、リブ状のものであってもよい。
【００１６】
図４（ｂ）に示されるように、第１の支持部１２ａ〜１２ｄは、第１のプレート１０の外面表面から上方に突出して形成されている。また、第１の支持部１２ａ〜１２ｄは、第１のプレート１０の外面から延出されて形成されており、第１のプレート１０と一体に形成されている。第１の支持部１２ａ〜１２ｄを第１のプレート１０と一体に形成することにより、第１の支持部１２ａ〜１２ｄに剛性を持たせることができる。
また、第1の支持部１２ａ〜１２ｄは、後で図３を用いて詳細に説明するように、第1および第２のプレート１０、２０の外面を互いに対向させて、複数のトレイ１００を多数段に積み重ねたとき、トレイ１００の四隅における角部が撓んだり、第1および第２のプレート１０、２０の内面間に間が開いたりするのを抑制する機能を果たす。
【００１７】
図４（ａ）に示されるように、第２の支持部１３が、第１のプレート１０の外周縁部に囲われた中央領域内に形成されている。この例に係る第２の支持部１３は、第１のプレート１０の略中心（略重心位置）に設けられている。なお、図４（ａ）に示されるように、第２の支持部１３は、開口孔１１以外の領域に形成されている。また、本実施の形態ではピン状の第２の支持部１３を設けたが、リブ状のものであってもよい。
図４（ｂ）に示されるように、第２の支持部１３は、第１のプレート１０の外面から上方に突出して形成されている。また、第２の支持部１３は、第１のプレート１０の外面から延出されて形成されており、第１のプレート１０と一体に形成されている。第２の支持部１３を第１のプレート１０と一体に形成することにより、第２の支持部１３に剛性を持たせることができる。
【００１８】
また、第２の支持部１３は、後で図３を用いて詳細に説明するように、第1および第２のプレート１０、２０の外面を互いに対向させて、複数のトレイ１００を多数段に積み重ねたとき、トレイ１００の中央領域が撓んだり、第1および第２のプレート１０、２０の内面間に間が開いたりするのを抑制する機能を果たす。
図４（ａ）に示されるように、位置決め孔１４ａ、１４ｂが、第１のプレート１０の対角線上で対向する一組の角部に形成されている。図１（ａ）に示されるように、この位置決め孔１４ａ、１４ｂには、後述する第２のプレート２０に形成された位置決めピン２４ａ、２４ｂが挿入される。
【００１９】
図４（ａ）に示されるように、第１のプレート１０の外面の外周縁部に、第１のプレート１０の各辺に沿って、ずれ防止リブ１５ａ〜１５ｄが形成されている。ずれ防止リブ１５ａおよび１５ｂが一対となっており、ずれ防止リブ１５ｃおよび１５ｄが一対となっている。なお、一対のずれ防止リブ１５ａ、１５ｂは、後述する第２のプレート２０の外面に形成されたずれ防止リブ２５ａ、２５ｂに係合されるように形成され、一対のずれ防止リブ１５ｃ、１５ｄは、第２のプレート２０の外面に形成されたずれ防止リブ２５ｃ、２５ｄに係合されるように形成されている。
【００２０】
図４（ａ）および図４（ｃ）に示されるように、突出ピン１６ａ〜１６ｄが、第１のプレート１０の対向する２辺に設けられた凹部１７ａ〜１７ｄから延出されて形成されている。突出ピン１６ａ〜１６ｄは半円柱状に形成されている。第１および第２のプレート１０、２０が重ね合わされたとき、突出ピン１６ａ〜１６ｄは、後述する第２のプレート２０に形成された突出ピン２６ａ〜２６ｄと合わされる。なお、突出ピン２６ａ〜２６ｄも突出ピン１６ａ〜１６ｄと同様に半円柱状に形成されており、突出ピン１６ａ〜１６ｄおよび突出ピン２６ａ〜２６ｄが合わされると円柱形状の接合体となる。この接合体にはゴム状のチューブ（不図示）が嵌め込まれて、第１および第２のプレート１０、２０が重ね合わされた状態に保持される。
【００２１】
次に、本発明の実施の形態に係るトレイ１００の下プレート２０の具体的な構成について、図に基づいて説明する。
図５（ａ）〜図５（ｃ）に示されるように、第２のプレート２０は、第１のプレート１０の外形と同様に、正方形型に平板状に形成されている。また、第２のプレート２０の外周縁部を囲う中央領域には、多数の開口孔２１が、千鳥格子状に整列して形成されている。なお、第１および第２のプレート１０、２０を重ね合わせたとき、多数の開口孔２１と開口孔１１の位置が合致するように、構成されている。図２に示されるように、各開口孔２１の外周面２１ａは、第２のプレート２０の外面から内面に向けて徐々に内径が小さくなってすり鉢状に形成されている。
【００２２】
図２に示されるように、開口孔２１の外周部には、段落ちされたレンズ保持部２１ｂが形成されている。このレンズ保持部２１ｂは、レンズ２００のフランジ部２００ｂの形状にあわせて形成されている。また、図５（ａ）に示されるように、治具逃げ部２８が形成されている。この治具逃げ部２８は、例えばレンズ２００を把持して、レンズ保持部２１ｂ上に載置したり、レンズ保持部２１ｂ上に載置されたレンズ２００を取り出したりするためのピンセットなどの治具の先端部が入り込むために、溝状に形成されている。なお、図２で図示しないが、治具逃げ部２８はレンズ保持部２１ｂと同じ深さの凹部により形成されている。
【００２３】
図５（ａ）に示されるように、第１および第２のプレート１０、２０を重ね合わせたとき、位置決めピン２４ａ、２４ｂが、位置決め孔１４ａ、１４ｂに重なるように、第２のプレート２０の対角線上で対向する一組の角部に形成されている。なお、図１（ａ）に示されるように、位置決めピン２４ａ、２４ｂが位置決め孔１４ａ、１４ｂに挿入されて、第１および第２のプレート１０、２０の重ね合わせ位置が規制される。
【００２４】
図５（ｃ）に示されるように、第２のプレート２０の外面の外周縁部に、第２のプレート２０の各辺に沿って、ずれ防止リブ２５ａ〜２５ｄが形成されている。ずれ防止リブ２５ａおよび２５ｂが一対となっており、ずれ防止リブ２５ｃおよび２５ｄが一対となっている。なお、一対のずれ防止リブ２５ａ、２５ｂは、第１のプレート１０の外面に形成されたずれ防止リブ１５ａ、１５ｂに係合されるように形成され、一対のずれ防止リブ２５ｃ、２５ｄは、第１のプレート１０の外面に形成されたずれ防止リブ１５ｃ、１５ｄに係合されるように形成されている。
【００２５】
図５（ａ）および図５（ｃ）に示されるように、突出ピン２６ａ〜２６ｄが、第２のプレート２０の対向する２辺に設けられた凹部２７ａ〜２７ｄから延出されて形成されている。突出ピン２６ａ〜２６ｄは半円柱状に形成されている。第１および第２のプレート１０、２０が重ね合わされたとき、突出ピン２６ａ〜２６ｄは、突出ピン１６ａ〜１６ｄと合わされる。なお、突出ピン１６ａ〜１６ｄも半円柱状に形成されており、突出ピン１６ａ〜１６ｄおよび突出ピン２６ａ〜２６ｄが合わされると円柱形状の接合体となる。この接合体にはゴム状のチューブ（不図示）が嵌め込まれて、第１および第２のプレート１０、２０が重ね合わされた状態に保持される。
【００２６】
次に、第１および第２のプレート１０、２０を重ね合わせた本発明の実施の形態に係るトレイについて、図に基づいて具体的に説明する。
図２に示されるように、収納部品としてのレンズ２００は、第２のプレート２０の各開口孔２１の外周部に形成されたレンズ保持部２１ｂ上に配置されている。具体的には、図２に示されるように、レンズ２００のフランジ部２００ｂが、レンズ保持部２１ｂ上に配置されている。
【００２７】
図１（ａ）に示されるように、第２のプレート２０の内面上に形成された位置決めピン２４ａ、２４ｂが、第１のプレート１０に形成された位置決め孔１４ａ、１４ｂに、挿入されることにより、第１および第２のプレート１０、２０の内面が互いに重ね合される。このように位置決めピン２４ａ、２４ｂおよび位置決め孔１４ａ、１４ｂを用いて、第１および第２のプレート１０、２０を重ね合わせることにより、第１および第２のプレート１０、２０の重ね合わせ位置が規制される。このとき、図１（ｄ）および図２に示されるように、第１のプレート１０の内面と第２のプレート２０の内面が密着して合わせられている。また、第１のプレート１０の内面と第２のプレート２０のレンズ保持部２１ｂとの間で、レンズ２００のフランジ部２００ｂが挟持されている。なお、突出ピン１６ａ〜１６ｄおよび突出ピン２６ａ〜２６ｄが合わされた円柱形状の接合体には、ゴム状のチューブ（不図示）が嵌め込まれ、第１および第２のプレート１０、２０が重ね合わされた状態に保持される。
【００２８】
次に、本発明の実施の形態に係るトレイ１００を複数段に重ね合わせた状態について、図に基づいて、具体的に説明する。
図１（ｂ）、図１（ｄ）および図３に示されるように、第１の支持部１２ａ〜１２ｄが、第１のプレート１０の外面上に突出されている。図３に示されるように、第1および第２のプレート１０、２０の外面を互いに対向させて、複数のトレイ１００を多数段に積み重ねたとき、第１の支持部１２ａ〜１２ｄの先端部が、第２のプレート２０の外面に当接されている。このような第1の支持部１２ａ〜１２ｄを設けたことにより、複数のトレイ１００を多数段に積み重ねたとき、トレイ１００の四隅における角部が撓んだり、第1および第２のプレート１０、２０の内面間に間が開いたりするのが抑制される。
【００２９】
また、図１（ｂ）、図１（ｄ）および図３に示されるように、第２の支持部１３が、第１のプレート１０の外面上に突出されている。図３に示されるように、第１および第２のプレート１０、２０の外面を互いに対向させて、複数のトレイ１００を多数段に積み重ねたとき、第２の支持部１３の先端部が、第１の支持部１２ａ〜1２ｄと同様に、第２のプレート２０の外面に当接されている。このような第２の支持部１３を設けたことにより、複数のトレイ１００を多数段に積み重ねたときに、トレイ１００の中央領域が撓んだり、第1および第２のプレート１０、２０の内面間に間が開いたりするのを抑制することができる。
【００３０】
以上のように、第1の支持部１２ａ〜１２ｄおよび第２の支持部１３を設けたことにより、第1および第２のプレート１０、２０の外面を互いに対向させて、複数のトレイ１００を多数段に積み重ねたとき、レンズ２００が第1および第２のプレート１０、２０の内面の間で挟持された状態に維持されるように、第１および第２のプレート１０、２０の外周縁部および中央領域が支持され、レンズ２００がレンズ保持部２１ｂから外れるのを抑制することができる。このようにして、特許文献１に記載のトレイのように、連結ピンを備える必要もなく、簡単な構成で、収納部品であるレンズ２００を確実に保持することができる。
【００３１】
また、図１および図３に示されるように、ずれ防止リブ１５ａ〜１５ｄが、第１のプレート１０の外面上に突出され、ずれ防止リブ２５ａ〜２５ｄが、第２のプレート２０の外面上に突出されている。
図１（ａ）、図１（ｃ）および図１（ｄ）に示されるように、一対のずれ止めリブ１５ａ、１５ｂの間隔は、一対のずれ止めリブ２５ａ、２５ｂの間隔よりもわずかに広くなっている。同様に、一対のずれ止めリブ１５ｃ、１５ｄの間隔は、一対のずれ止めリブ２５ｃ、２５ｄの間隔よりもわずかに広くなっている。
【００３２】
従って、図３に示されるように、第1および第２のプレート１０、２０の外面を互いに対向させて、複数のトレイ１００を多数段に積み重ねたとき、一対のずれ止めリブ２５ａ、２５ｂが一対のずれ止めリブ１５ａ、１５ｂの内側に配置され、一対のずれ止めリブ２５ａ、２５ｂと一対のずれ止めリブ１５ａ、１５ｂとが互いに係合される。また、一対のずれ止めリブ２５ｃ、２５ｄが一対のずれ止めリブ１５ｃ、１５ｄの内側に配置され、一対のずれ止めリブ２５ｃ、２５ｄと一対のずれ止めリブ１５ｃ、１５ｄとが互いに係合される。
【００３３】
このように、複数のトレイ１００を多数段に積み重ねたときのトレイ１００の移動を抑制するずれ防止リブ１５ａ〜１５ｂ、２５ａ〜２５ｄを設けたことにより、複数のトレイ１００を複数段に積み重ねても、トレイ１００がどの方向にもずれることがなく、収納部品であるレンズ２００を確実に保持した状態で、トレイ１００を安定して積み重ねることができる。
【００３４】
次に、本発明の実施の形態に係るトレイの変形例について、図に基づいて説明する。図６は、本発明の実施の形態に係るトレイの変形例の構成を示す図であって、図６（ａ）は平面図、図６（ｂ）は側面図、図６（ｃ）は背面図、図６（ｄ）は図６（ａ）のＹ−Ｙ切断線における断面図である。
本発明の実施の形態に係るトレイ１００では、図１に示されるように、第２の支持部１３は、第１のプレート１０の外面の中央領域に、ひとつだけ形成されているのに対し、本発明の実施の形態に係るトレイの変形例１００ａでは、第２の支持部１３０ａ、１３０ｂは、第１のプレート１０の外面の中央領域に、２個形成されている点で相違する。なお、図６では、第２の支持部を２個設けたものを示したが、第２の支持部を３個以上設けてもよい。
【００３５】
このように、第２の支持部１３０ａ、１３０ｂを複数個形成することにより、第１および第２のプレート１０、２０の外面を互いに対向させて、複数のトレイ１００を多数段に積み重ねたとき、第２の支持部１３０ａ、１３０ｂの先端部が、複数個所で第２のプレート２０の外面に当接される。このことにより、複数のトレイ１００を多数段に積み重ねたとき、トレイ１００の中央領域が撓んだり、第1および第２のプレート１０、２０の内面間に間が開いたりするのをより効果的に抑制することができる。
【００３６】
以上の説明は、本発明を実施の形態を説明するものであり、本発明が以上の実施の形態に限定されるものではない。また、当業者であれば、以上の実施の形態の各要素を、本発明の範囲において、容易に変更、追加、変換することが可能である。
上記実施の形態では、第１のプレート１０の外面上に第２の支持部１３、１３０ａ、１３０ｂを形成する説明をしたが、第２のプレート２０の外面に第２の支持部を形成してもよい。また、第１および第２のプレート１０、２０の双方の外面に第２の支持部を形成してもよい。
【００３７】
第１および第２のプレート１０、２０の双方の外面に第２の支持部を形成する場合は、第１のプレート１０の外面に形成する第２の支持部と第２のプレート２０の外面に形成する第２の支持部の配置位置をずらして形成するか、第１および第２のプレート１０、２０の外面にそれぞれ形成する第２の支持部の先端部が互いに当接されるように、第１および第２のプレート１０、２０に形成する第２の支持部の長さを調整して形成してもよい。
また、上記実施の形態では、第１および第２のプレート１０、２０の両方に複数の開口部１１、２１を形成する説明をしたが、レンズ２００の片面だけに表面処理を施す場合には、第１または第２のプレート１０、２０のいずれか一方のみに、複数の開口部を形成すればよい。
【００３８】
また、上記実施の形態では、トレイ１００、１００ａへの収納部品としてレンズの場合について説明したが、これに限定されず、本実施の形態に係る発明を光学フィルタ、回折格子、ライトガイドなどの光学部品、半導体チップなどの各種部品を、トレイ１００、１００ａへの収納部品に適用することができる。
上記実施の形態では、第１および第２のプレート１０、２０の両方にずれ止めリブ１５ａ〜１５ｄ、２５ａ〜２５ｄを形成する説明をしたが、第１または第２のプレート１０、２０のいずれか一方のみに、ずれ止めリブを形成し、他方のプレートにずれ止めリブと係合する溝や段部を設けることができる。
【図面の簡単な説明】
【００３９】
【図１】本発明の実施の形態に係るトレイの構成を示す図であって、図１（ａ）は平面図、図１（ｂ）は側面図、図１（ｃ）は背面図、図１（ｄ）は図１（ａ）のＸ−Ｘ切断線における断面図である。
【図２】本発明の実施の形態に係るトレイの開口部の中心断面を拡大して示す図である。
【図３】本発明の実施の形態に係るトレイを重ね合わせたときの断面図であって、各トレイの断面図は図１（ａ）のＸ−Ｘ切断線に対応する部分を示す図である。
【図４】本発明の実施の形態に係るトレイの上プレートの構成を示す図であって、図４（ａ）は平面図、図４（ｂ）は側面図、図４（ｃ）は背面図である。
【図５】本発明の実施の形態に係るトレイの下プレートの構成を示す図であって、図５（ａ）は平面図、図５（ｂ）は側面図、図５（ｃ）は背面図である。
【図６】本発明の実施の形態に係るトレイの変形例の構成を示す図であって、図６（ａ）は平面図、図６（ｂ）は側面図、図６（ｃ）は背面図、図６（ｄ）は図６（ａ）のＹ−Ｙ切断線における断面図である。
【符号の説明】
【００４０】
１００  トレイ
１０  第１のプレート
１１  開口孔
１１ａ  外周面
１２ａ〜１２ｄ  第１の支持部
１３  第２の支持部
１４ａ、１４ｂ  位置決め孔
１５ａ〜１５ｄ  ずれ止めリブ
１６ａ〜１６ｄ  突出ピン
１７ａ〜１７ｄ  凹部
２０  第２のプレート
２１  開口孔
２１ａ  外周面
２１ｂ段差部
２４ａ、２４ｂ  位置決めピン
２５ａ〜２５ｄ  ずれ止めリブ
２６ａ〜２６ｄ  突出ピン
２７ａ〜２７ｄ  凹部
２８  治具逃げ部
２００  レンズ
２００ａ  レンズ部
２００ｂ  フランジ部
【図１】
0004617247.tif 000002
【図２】
0004617247.tif 000003
【図３】
0004617247.tif 000004
【図４】
0004617247.tif 000005
【図５】
0004617247.tif 000006
【図６】
0004617247.tif 000007